(57)【特許請求の範囲】
【請求項１】
所定の点火操作によって燃焼を開始するバーナと、
前記バーナの燃焼を制御するコントローラと、
前記バーナまたは前記コントローラの異常を報知する異常報知ランプと
を具備し、
前記異常報知ランプが、一つのパッケージに複数のＬＥＤチップが封入された多色発光型ＬＥＤにより構成され、
前記コントローラが、前記複数のＬＥＤチップへの通電パターンの組み合わせにより、所定の複数種類の色による発光によって前記異常を報知する異常報知を実行するように構成され、かつ、
前記異常報知とは別に、前記コントローラが、前記所定の複数種類の色のそれぞれに対応して、前記所定の複数種類の色ごとに定めた所定の発光パターンで前記異常報知ランプを発光させることにより、前記異常報知ランプの前記複数種類の色を使用者に認識させるためのランプ色認識報知を行うように構成されていること
を特徴とする屋内設置型給湯装置。
【請求項２】
前記コントローラが、前記異常報知と前記ランプ色認識報知とを交互に繰り返して実行するように構成されていることを特徴とする請求項１記載の屋内設置型給湯装置。
【請求項３】
前記コントローラが、電池ケースに装填された乾電池を電源とし、前記コントローラが、前記電池ケースへの乾電池装填時に前記ランプ色認識報知を実行するように構成されていることを特徴とする請求項１または２記載の屋内設置型給湯装置。
【請求項４】
前記コントローラが、前記所定の点火操作によって前記ランプ色認識報知を実行するように構成されていることを特徴とする請求項１〜３のいずれかに記載の屋内設置型給湯装置。
【発明の詳細な説明】
【技術分野】
【０００１】
本発明は給湯装置に関し、詳しくは、屋内に設置して用いられる屋内設置型給湯装置に関する。
【背景技術】
【０００２】
不完全燃焼が生じた場合に、それを検出して燃焼を停止するように構成された燃焼制御装置を有する給湯装置が広く知られている。
【０００３】
例えば、特許文献１には、バーナの燃焼炎の温度を検出する第１温度検出手段と、バーナにより加熱される熱交換器の周囲温度を第２検出温度として検出し、第２検出温度の値により、熱交換器の排気通路が狭くなって排気ガスが流れにくくなる排気閉塞状態の発生の有無を検出する排気閉塞状態検出手段と、第１温度検出手段と排気閉塞状態検出手段の検出出力に基づいてバーナの燃焼を制御するコントローラとを備え、第１温度検出手段により検出される温度である第１検出温度が設定値より低くなったときにバーナの燃焼が停止され、かつ、第２検出温度が高いときにはバーナの加熱量が大きく、また、第２検出温度が低いときにはバーナの加熱量が小さいと判定するように構成された燃焼制御装置を備えた給湯装置が開示されている。
【０００４】
また、特許文献１の発明を実施するための形態の欄には、
（ａ）異常報知ランプを備え、以下のように給湯装置の制御状態の報知を行うこと、
（ｂ）不着火検出状態により点火動作を中断したことを、ランプ（異常報知ランプ）の点滅により報知すること、
（ｃ）不完全燃焼検出状態をランプ（異常報知ランプ）の点滅により報知すること
などが開示されている。
【先行技術文献】
【特許文献】
【０００５】
【特許文献１】特開２０１２−２０２６５１号公報
【発明の概要】
【発明が解決しようとする課題】
【０００６】
ところで、給湯装置の制御状態としては種々の制御状態があり、ランプ（異常報知ランプ）によってそれら種々の制御状態を報知することが望まれている。
【０００７】
その場合、７セグメントＬＥＤなどにより数字を表示し、表示された数字によって制御状態を表示するように構成すれば、多くの情報が表示できて好ましい。
【０００８】
しかしながら、７セグメントＬＥＤなどにより数字を表示するためには、表示を行うための広いスペースが必要となり、制御状態を表示することに不利を伴うことが考えられる。
【０００９】
特に、屋内設置型の給湯装置の場合、給湯装置本体の前面に異常報知ランプを備えることが合理的であるが、そのためには７セグメントＬＥＤなど表示手段を配設するための大きいスペースを給湯装置本体の前面に確保することが必要になるが、屋内設置型の給湯装置の場合、そのようなスペースを前面に確保することは困難なことが多いのが実情である。
【００１０】
本発明は、上記の課題を解決するものであり、表示のための広いスペースを必要とせず、ランプ（異常報知ランプ）によって多くの制御状態を表示することが可能な屋内設置型給湯装置を提供することを目的とする。
【課題を解決するための手段】
【００１１】
上記の目的を達成するために、本発明の屋内設置型給湯装置は、
所定の点火操作によって燃焼を開始するバーナと、
前記バーナの燃焼を制御するコントローラと、
前記バーナまたは前記コントローラの異常を報知する異常報知ランプと
を具備し、
前記異常報知ランプが、一つのパッケージに複数のＬＥＤチップが封入された多色発光型ＬＥＤにより構成され、
前記コントローラが、前記複数のＬＥＤチップへの通電パターンの組み合わせにより、所定の複数種類の色による発光によって前記異常を報知する異常報知を実行するように構成され、かつ、
前記異常報知とは別に、前記コントローラが、前記所定の複数種類の色のそれぞれに対応して、前記所定の複数種類の色ごとに定めた所定の発光パターンで前記異常報知ランプを発光させることにより、前記異常報知ランプの前記複数種類の色を使用者に認識させるためのランプ色認識報知を行うように構成されていること
を特徴としている。
【００１２】
本発明の屋内設置型給湯装置においては、前記コントローラが、前記異常報知と前記ランプ色認識報知とを交互に繰り返して実行するように構成されていることが好ましい。
【００１３】
また、前記コントローラが、電池ケースに装填された乾電池を電源とし、前記コントローラが、前記電池ケースへの乾電池装填時に前記ランプ色認識報知を実行するように構成されていることが好ましい。
【００１４】
また、前記コントローラが、前記所定の点火操作によって前記ランプ色認識報知を実行するように構成されていることが好ましい。
【発明の効果】
【００１５】
本発明の屋内設置型給湯装置は、所定の点火操作によって燃焼を開始するバーナと、バーナの燃焼を制御するコントローラと、バーナまたはコントローラの異常を報知する異常報知ランプとを具備し、異常報知ランプが、一つのパッケージに複数のＬＥＤチップが封入された多色発光型ＬＥＤにより構成され、コントローラが、複数のＬＥＤチップへの通電パターンの組み合わせにより、所定の複数種類の色による発光によって異常を報知する異常報知を実行するように構成され、かつ、異常報知とは別に、コントローラが、所定の複数種類の色のそれぞれに対応して、所定の複数種類の色ごとに定めた所定の発光パターンで異常報知ランプを発光させることにより、異常報知ランプの複数種類の色を使用者に認識させるための、ランプ色認識報知を行うように構成されているので、表示（異常報知）のための広いスペースを必要とせず、異常報知ランプ（多色発光型ＬＥＤ）によって多くの制御状態を使用者に的確に認識させることと、効率よく表示することが可能な屋内設置型給湯装置を提供することが可能になる。
【００１６】
また、コントローラが、異常報知とランプ色認識報知とを交互に繰り返し実行するように構成した場合、繰り返し行われるランプ色認識報知によって、異常報知ランプの色を使用者により確実に認識させることが可能になる。
したがって、異常報知ランプが多色発光型ＬＥＤによって構成されていても、使用者に、バーナまたはコントローラの異常が生じた場合に、その異常を的確に認識させることが可能で、より信頼性の高い屋内設置型給湯装置を提供することができる。
【００１７】
また、コントローラが、電池ケースに装填された乾電池を電源とし、電池ケースへの乾電池装填時にランプ色認識報知を実行するように構成することにより、例えば、電池ケースへの乾電池装填時にランプ色認識報知を実行しない場合、異常報知ランプの表示に関する故障が発生している蓋然性が高いことを使用者に認識させることが可能になり、安全性、信頼性を向上させることが可能になる。
【００１８】
また、コントローラが、所定の点火操作によってランプ色認識報知を実行するようにした場合、点火操作時にランプ色認識報知を実行しない場合、ランプ（異常報知ランプ）の表示に関する故障が発生している蓋然性が高いことを使用者に認識させることが可能になり、安全性を向上させることが可能になる。
【図面の簡単な説明】
【００１９】
【図１】本発明の一実施形態にかかる屋内設置型給湯装置の全体構成図である。
【図２】本発明の一実施形態にかかる屋内設置型給湯装置の制御ブロック図である。
【図３】本発明の一実施形態にかかる屋内設置型給湯装置の制御部における、異常報知ランプ駆動回路周辺を示す回路図である。
【図４】本発明の一実施形態にかかる屋内設置型給湯装置のランプ色認識報知の態様を示すタイムチャートである。
【図５】本発明の一実施形態にかかる屋内設置型給湯装置の異常報知ランプによる制御状態の報知の態様を示すタイムチャートである。
【図６】本発明の一実施形態にかかる屋内設置型給湯装置の異常報知ランプによる制御状態の報知の態様を示すタイムチャートである。
【発明を実施するための形態】
【００２０】
以下、本発明の実施形態を示して、その特徴とするところを詳しく説明する。
【００２１】
［実施形態］
図１は本発明の実施形態にかかる屋内設置型給湯装置（以下、単に「給湯装置」ともいう）の全体構成図である。
この給湯装置は、燃焼室Ｒを構成するための筒胴１を備え、この筒胴１の内側上端部には、フィンチューブ型の水加熱用の熱交換器２が設けられている。また、筒胴１の下方には熱交換器２を加熱するバーナ３が設けられている。
【００２２】
さらに、熱交換器２への給水路Ｗｉには、止水弁４、水圧変化に応動して給水量を調整する水ガバナ５、および分流弁６が順次配設されている。一方、熱交換器２からの出湯路Ｗｏには、フレキシブル管７を介して出湯具８が接続されている。そして、上記の分流弁６と出湯路Ｗｏとの間にはバイパス路Ｗｂが設けられ、分流弁６の開度により、給水路Ｗｉから出湯路Ｗｏへバイパス路Ｗｂを介して分流供給されるバイパス水量の割合が調整されるように構成されている。
【００２３】
また、バーナ３へのガス供給路Ｇには、遮断弁９、水圧応動弁１０、ガスガバナ１１、および燃料ガス供給量を調整する調整弁１２が順次介装されている。
【００２４】
そして、この給湯装置においては、水圧応動弁１０は、連動杆１０ａを介して水ガバナ５との連動により給水状態でのみ弁が開くように構成されており、また、ガスガバナ１１は、燃料ガス供給の元圧変化に応動してバーナ３への燃料ガス供給圧を適正圧に保つように構成されている。
【００２５】
さらに、この給湯装置においては、バーナ３に近接して点火プラグ１６が設けられ、バーナ３の燃焼炎に接触するように第１熱電対１７が配設されている。また、燃焼室Ｒを構成する筒胴１に形成した測温用開口１ａには、感熱部が臨む状態で第２熱電対２１が配設されている。
【００２６】
そして、上記の第１熱電対１７が、本発明におけるバーナの燃焼炎の温度を検出する第１温度検出手段に対応しており、また、第２熱電対２１が、本発明におけるバーナ３により加熱される熱交換器２の周囲温度を検出し、その検出値を熱交換器２の排気通路が狭くなって排気ガスが流れにくくなる排気閉塞状態の発生の有無を判断するための第２検出値として出力する第２温度検出手段に対応している。
【００２７】
第１熱電対１７は、金属性の熱電対取付板を用いて感熱部を正常燃焼状態の燃焼炎の内部に位置するように配設されているとともに、そのプラス側が熱電対取付板と電気的に接続して設けられており、バーナ３の燃焼炎の温度に応じた起電力を出力する。
【００２８】
また、第２熱電対２１は、そのプラス側が内胴１と電気的に接続して設けられており、バーナ３から熱交換器２を通過する筒胴１内の燃焼ガスの排気通路が狭くなって排気閉塞状態が発生したときには、筒胴１の測温用開口１ａから高温の燃焼ガスが流出するので、そのときに流出した燃焼ガスの温度に応じた起電力を出力する。
【００２９】
そして、図２に示すように、第１熱電対１７のマイナス端子を後述するコントローラＣの入力端子ｃに接続し、第１熱電対１７のプラス端子をコントローラＣの入力端子ａに接続している。また、第２熱電対２１のマイナス端子をコントローラＣの入力端子ｂに接続し、第２熱電対２１のプラス端子をコントローラＣの入力端子ａに接続している。ここで、コントローラＣの入力端子ａは接地されている。以上のように、コントローラＣの入力端子ａ−ｃ間にはバーナ３の燃焼炎の温度に応じた起電力が端子ａ側をプラスとして入力され、コントローラＣの入力端子ａ−ｂ間にはバーナ３から熱交換器２を通過する筒胴１内の燃焼ガスの排気通路が狭くなって排気閉塞状態が発生したときに流出した燃焼ガスの温度に応じた起電力が端子ａ側をプラスとして入力されるように構成している。
【００３０】
さらに、バーナ３に対向するガスノズル１８の下方近傍の位置にはノズル近傍用温度ヒューズ１９が、また、筒胴１の外周部の背面側（給湯装置を壁面に設置する場合は、壁面側）近傍に筒胴用温度ヒューズ２０が、それぞれ配設されている。
【００３１】
ノズル近傍用温度ヒューズ１９は、ガスノズル１８の近傍の温度が異常高温になると溶断するものであり、また、筒胴用温度ヒューズ２０は、筒胴１の上部外周近傍の温度が異常高温になると溶断するものであって、両ヒューズ１９，２０はそれぞれ同様の構成のものである。そして、特に図示しないが、両ヒューズ１９，２０は、リード線を接続したヒューズ素子が、可撓性および耐熱性を有するチューブ内に直列に挿入され、チューブの外周の２箇所をバインダで束縛することによりチューブ内に固定された構成を有している。
【００３２】
また、給湯装置は、制御手段としてのコントローラＣを備えている。このコントローラＣは、マイクロコンピュータを有し、所定の制御プログラムをインストールすることにより、第１熱電対１７、第２熱電対２１、操作マイクロスイッチ１４、水圧マイクロスイッチ１５などからの出力に基づいてバーナ３の燃焼制御や各部の動作を制御するように構成されている。そして、このコントローラＣには、図２に示すように、動作電源として直列接続された２本の乾電池Ｂｔから電力が供給され、乾電池Ｂｔを取り外さない限り電力供給が継続される。
また、この給湯装置は、後述のように燃焼状態の異常により燃焼禁止状態になっていることを報知するための、ＬＥＤを用いた異常報知ランプ（報知手段）２２（図２）を備えている。
【００３３】
給湯を開始する場合には、押しボタン式の出湯操作具１３（図１）を押す。出湯操作具１３が押されると、これに応じて操作マイクロスイッチ１４がオンになり、同時に、出湯操作具１３の押し操作に連動して止水弁４が開弁される。止水弁４が開弁されると、水が水ガバナ５に入り、水圧により連動杆１０ａが水圧応動弁１０を開弁する方向に応動して水圧マイクロスイッチ１５がオンになる。
【００３４】
操作マイクロスイッチ１４および水圧マイクロスイッチ１５がともにオンになると、これに応じてコントローラＣは、点火プラグ１６をスパークさせるともに、遮断弁９のコイル９ａに吸着電流を流すので、遮断弁９が開弁される。
【００３５】
これにより、燃料ガスは、遮断弁９、連動杆１０ａにより開弁された水圧応動弁１０、ガスガバナ１１、および調整弁１２を順次通過してバーナ３に供給され、点火プラグ１６のスパークにより点火されて燃焼する。
【００３６】
第１熱電対１７は、バーナ３の燃焼炎に接触する状態で配置されているので、バーナ３が正常に燃焼している限り、燃焼炎により加熱された第１熱電対１７の起電力に応じた温度がコントローラＣに予め設定された着火検出用の基準値以上となるため、コントローラＣからは遮断弁９のコイル９ａに吸着電流が供給され続ける結果、遮断弁９の開弁状態が継続する。
【００３７】
一方、水は、止水弁４、水ガバナ５および分流弁６を通過して熱交換器２に流れると同時に、バイパス路Ｗｂを経由して出湯路Ｗｏに流れる。そして、熱交換器２からの湯とバイパス路Ｗｂからの水とが混合されて適温となった湯が出湯具８から出湯される。
【００３８】
このような給湯状態において、給湯を停止したい場合には、出湯操作具１３を再び押すと、その押し操作に連動して操作マイクロスイッチ１４がオフになるとともに、止水弁４が閉弁して給水が停止され、結果的に出湯も停止される。また、止水弁４が閉弁すると、水ガバナ５は水圧差がなくなるので、連動杆１０ａが水圧応動弁１０を閉弁する方向に応動するため、水圧応動弁１０が閉弁されるとともに、水圧マイクロスイッチ１５がオフになる。そして、コントローラＣは、操作マイクロスイッチ１４および水圧マイクロスイッチ１５がともにオフになると、遮断弁９のコイル９ａへの吸着電流の供給を停止するので、遮断弁９が閉弁されてバーナ３への燃料ガスの供給が断たれ、バーナ３の燃焼が停止する。
【００３９】
前述の給湯を開始する操作を行い、遮断弁９の開弁、点火プラグ１６のスパークなどによるバーナ３への点火動作を開始してから２秒経過した以降に、第１熱電対１７の起電力が１．２ｍＶ以上になった時点で、バーナ３に着火した（着火検出状態である）とコントローラＣが判断し、点火プラグ１６のスパークのみを停止し、遮断弁９の開弁を維持して燃焼を継続する。
【００４０】
なお、もし、バーナ３への点火動作を開始してから２秒経過した時点で第１熱電対１７の起電力が１．２ｍＶ未満の場合は、バーナ３に着火しなかった（不着火検出状態である）とコントローラＣが判断し、遮断弁９を閉弁して、点火プラグ１６のスパークを停止し、点火動作を中断するとともに、報知手段である異常報知ランプ２２を点滅させて、不着火検出状態により点火動作を中断したことを報知するように構成されている（図示せず）。
【００４１】
点火動作を開始してから着火検出状態になり、２秒以上経過し１０秒経過するまで、第１熱電対１７の起電力が２．５ｍＶ以上である場合は、コントローラＣは着火検出状態が維持されていると判断し、遮断弁９の開弁を維持して燃焼を継続する（ただし、２秒〜３秒の閾値は、１．２ｍＶ）。
【００４２】
なお、もし、バーナ３への点火動作を開始してから２秒以上経過し、１０秒経過するまでの間に第１熱電対１７の起電力が２．５ｍＶ未満になった場合は、バーナ３に着火しなかった（不着火検出状態である）とコントローラＣが判断し（ただし、２秒〜３秒の閾値は、１．２ｍＶ）、遮断弁９を閉弁することで点火動作を中断するとともに、異常報知ランプ２２を点滅させて、不着火検出状態により点火動作を中断したことを報知するように構成されている（図示せず）。
【００４３】
因みに、一旦、第１熱電対１７の起電力が１．２ｍＶ以上であることを検出した後に、バーナ３に着火しなかったとコントローラＣが判断するための起電力の閾値は、１．２ｍＶから所定ヒステリシスを減じた１．２ｍＶより小さい値とすることが一般的であるが、点火動作を開始して最初に着火検出状態になった後しばらくの間は、熱電対の熱容量に起因して第１熱電対１７の起電力は上昇し続けることがわかっていることから、一旦第１熱電対１７の起電力が１．２ｍＶ以上であることを検出した後に、バーナ３に着火しなかったとコントローラＣが判断するための起電力の閾値を２．５ｍＶに設定している。
【００４４】
このように、点火動作を開始してから最初に着火検出したかどうかの判断を行う閾値を１．２ｍＶと低く設定することで、点火プラグ１６のスパークを早く停止することが可能となり、消費電力の低減が図られ、かつ、着火後１０秒経過するまで第１熱電対１７の起電力が２．５ｍＶ以上である場合には、燃焼が維持されていると判断し、遮断弁９の開弁を維持して燃焼を継続することにより、安全性が確保される。
【００４５】
バーナ３への点火動作を開始した後、１０秒以降４０秒が経過するまでの間は、第１熱電対１７の起電力が第１酸欠基準（７ｍｖ）以上であるかどうかがコントローラＣによってチェックされ、第１熱電対１７の起電力が第１酸欠基準（７ｍｖ）以上である場合は、コントローラＣが酸欠燃焼ではない（正常燃焼検出状態である）と判断し、遮断弁９の開弁を維持して燃焼を継続する。
【００４６】
なお、もし、バーナ３への点火動作の開始後、１０秒以降４０秒が経過するまでの間に、第１熱電対１７の起電力が第１酸欠基準（７ｍｖ）未満になった場合は、コントローラＣが酸欠燃焼である（不完全燃焼検出状態）であると判断し、遮断弁９を閉弁することでバーナ３の燃焼を停止し、異常報知ランプ２２を点滅させて、不完全燃焼検出状態によりバーナ３の燃焼を停止したことを報知するように構成されている（図示せず）。
【００４７】
バーナ３への点火動作の開始後４０秒を経過した時点（正確には４０秒経過する時点の直前の時点）において、バーナ３への点火動作の開始後４０秒を経過した時点以降に酸欠燃焼であるかどうかを判断するために、第２熱電対２１の起電力（本発明における第２検出温度に相当）に基いて第２酸欠基準が設定される。
なお、上記第２酸欠基準は、本発明における、第１温度検出手段である第１熱電対により検出される第１検出温度の設定値であって、第１熱電対により検出される温度が、その値より低くなったときにバーナの燃焼が停止される値（この実施形態では、温度に対応する起電力の値）である。
【００４８】
バーナ３への点火動作の開始後４０秒を経過した時点（正確には４０秒を経過する時点の直前の時点）における第２熱電対２１の起電力（本発明における第２検出温度に相当）が５．５ｍＶ以上である場合は、バーナ３の加熱量が大火力であるとコントローラＣが判断し、第２酸欠基準が１５ｍＶに設定される。
【００４９】
また、バーナ３への点火動作の開始後４０秒を経過した時点（正確には４０秒を経過する時点の直前の時点）における第２熱電対２１の起電力（本発明における第２検出温度に相当）が５．５ｍＶ未満である場合は、バーナ３の加熱量が小火力であるとコントローラＣが判断し、第２酸欠基準が１３．５ｍＶに設定される。
【００５０】
そして、バーナ３への点火動作の開始後４０秒を経過した時点以降においては、第１熱電対１７の起電力が第２酸欠基準以上であるかどうかがコントローラＣによってチェックされ、第１熱電対１７の起電力が第２酸欠基準以上である場合は、コントローラＣが酸欠燃焼ではない（正常燃焼検出状態である）と判断し、遮断弁９の開弁を維持して燃焼を継続する。
【００５１】
なお、バーナ３への点火動作の開始後４０秒を経過した時点以降において、第１熱電対１７の起電力が第２酸欠基準未満になった場合は、酸欠燃焼である（不完全燃焼検出状態である）とコントローラＣが判断し、遮断弁９を閉弁することでバーナ３の燃焼を停止し、異常報知ランプ２２を点滅させて、不完全燃焼検出状態によりバーナ３の燃焼を停止したことを報知するように構成されている（図示せず）。
【００５２】
＜特徴的構成＞
この実施形態の給湯装置において、コントローラＣは、上述のようにバーナ３の燃焼の制御を行うように構成されているとともに、異常報知ランプ２２（図２）によって、その制御状態の表示を、以下に説明するような態様で行うように構成されている。なお、このコントローラＣが、直列接続された２本の乾電池Ｂｔ（図２）を電源としていることは上述の通りである（図２、図３参照）。
【００５３】
また、異常報知ランプ２２は、緑色で発光するＬＥＤチップＤ１と赤色で発光するＬＥＤチップＤ２とが一つのパッケージに封入された２色発光型のＬＥＤにより構成されている。
【００５４】
そして、ＬＥＤチップＤ１への通電で緑色に発光し、ＬＥＤチップＤ２への通電で赤色に発光し、ＬＥＤチップＤ１およびＬＥＤチップＤ２への同時通電で橙色に発光するように構成されている（図４参照）。
【００５５】
次に、コントローラＣの制御状態と、異常報知ランプ２２による異常報知の態様について説明する。
バーナ３の燃焼を開始してからの連続燃焼時間が２０分に達すると、消し忘れの蓋然性が高いと判断し、バーナ３の燃焼を停止する。このとき、異常報知ランプ２２による報知は行わない。
【００５６】
バーナ３の燃焼中にコントローラＣの電源電圧が１．９Ｖ以下であることが２秒以上継続して検出された場合、ＬＥＤチップＤ１およびＬＥＤチップＤ２への同時連続通電によって、異常報知ランプ２２が橙色で２０秒間連続点灯する異常報知を行う。
【００５７】
この異常報知（電源電圧が１．９Ｖ以下の報知）を２０秒間行った後は、異常報知ランプ２２の色を使用者に認識させるために、後述するランプ色認識報知を９秒間行う。そして、ランプ色認識報知を行った後は、上記２０秒間の異常報知（電源電圧が１．９Ｖ以下の報知）と、ランプ色認識報知を交互に繰り返して行う。
【００５８】
上述のランプ色認識報知は、図４に示すように、周期３秒のうち０．５秒間だけＬＥＤチップＤ１のみに１回通電し、異常報知ランプ２２を３秒周期で１回緑色で点滅させ、続いて、周期３秒のうち０．５秒間のＬＥＤチップＤ１およびＤ２への通電を０．５秒間隔で２回繰り返し、異常報知ランプ２２を３秒周期で２回橙色で点滅させ、続いてさらに、周期３秒のうち０．５秒間のＬＥＤチップＤ２のみへの通電を０．５秒間隔で３回繰り返して異常報知ランプ２２を３秒周期で３回赤色で点滅させる形態で行われる。
【００５９】
このランプ色認識報知を行うことによって、３色で報知を行う異常報知ランプ２２の色のうち、１回点滅する色（緑）が３色のうちの第１の色（緑）であり、２回点滅する色（橙）が３色のうちの第２の色（橙）であり、そして、３回点滅する色（赤）が３色のうちの第３の色（赤）であるということが使用者に認識され、一つのパッケージに封入された２色発光型のＬＥＤからなる異常報知ランプ２２によって異常報知を行うに際し、異常報知ランプ２２の３つの色が使用者に適正に認識される。
【００６０】
なお、この実施形態の給湯装置においては、ランプ色認識報知に関し、異常報知ランプ２２を３秒周期で１回点滅する色が緑であり、続いて、３秒周期で２回点滅する色が橙であり、続いて、３秒周期で３回点滅する色が赤である旨を、給湯装置の取扱説明書に記載するようにしている。
【００６１】
この実施形態の給湯装置において、コントローラＣがバーナ３の不完全燃焼検出状態であると判断したとき、バーナ３の燃焼を停止するとともに、図５に示すように、１秒周期で０．５秒間ＬＥＤチップＤ２への通電を行うことで、異常報知ランプ２２が赤色で点滅する状態を２０秒間継続する。
【００６２】
この異常報知（不完全燃焼検出状態の報知）を２０秒間行った後は、異常報知ランプ２２の色を使用者に認識させるために、上述のランプ色認識報知を（９秒間）行う。そして、ランプ色認識報知を行った後は、２０秒間の異常報知（不完全燃焼検出状態の報知）と、９秒間のランプ色認識報知とを交互に繰り返して行う。
【００６３】
また、この実施形態の給湯装置において、コントローラＣの電源電圧が４．０Ｖ以上であることが２秒以上継続して検出された場合、図６に示すように、ＬＥＤチップＤ１およびＬＥＤチップＤ２への０．５秒間の通電を１秒周期で交互に繰り返すことによって、異常報知ランプ２２を１秒周期で緑色、赤色に交互に点滅する２０秒間の異常報知（コントローラＣの異常である旨の報知）と、上述の９秒間のランプ色認識報知とを交互に繰り返して行う。
【００６４】
なお、この実施形態の給湯装置において、コントローラＣは２本の乾電池Ｂｔを電源としているので、コントローラＣの電源電圧が４．０Ｖ以上であることが検出された場合、コントローラＣの異常である蓋然性が高く、そのことが使用者に認識され、コントローラＣに異常がある状態での使用が抑制、防止される。
【００６５】
なお、異常報知ランプ２２による異常報知として、上述の（１）電源電圧が１．９Ｖ以下である旨の報知、（２）不完全燃焼検出状態の報知、（３）コントローラＣの異常である旨の報知について説明したが、その他の異常について異常報知を行うようにしてもよい。
【００６６】
また、ランプ色認識報知は、図４と異なる点滅パターンで行ってもよい。
さらに、報知は、ＬＥＤではなく別の素子による表示や、ブザーによる音または音声などで行ってもよい。
【００６７】
上記実施形態では、異常報知とランプ色認識報知とを交互に繰り返して行うようにしているが、異常報知とランプ色認識報知とを交互に繰り返して行う構成は、任意の構成であり、異常報知とランプ色認識報知とを交互に繰り返すのではなく、他の態様でランプ色認識報知を行うことも可能である。
【００６８】
また、ランプ色認識報知を実施するタイミングは、上述のようなタイミングに限られるものではなく、上述のようなタイミングで実施するとともに、あるいは、上述のようなタイミングで実施するのに代えて、図示しない電池ケースへの電池装填時、つまりコントローラＣへの電源投入時にランプ色認識報知を行うようにしてもよく、また、出湯操作具１３の操作による点火操作時にランプ色認識報知が行われるように構成してもよい。このように構成した場合、電池ケースへの電池装填時や、点火操作時にランプ色認識報知が行われない場合に、異常報知ランプの表示に関する故障（異常報知ランプに関する配線の接続不良や断線など）の発生を認識することが可能になり、信頼性を向上させることができる。
【００６９】
なお、上述の、異常報知とランプ色認識報知とを交互に繰り返して行う構成や、電池ケースへの電池装填時あるいは点火操作時にランプ色認識報知にランプ色認識報知を行う構成は、いずれも、本発明の必須の構成ではなく、任意の構成であり、これらの構成を備えていない構成とすることも可能である。
【００７０】
また、上記実施形態では、異常ランプ２２として、一つのパッケージに２個の光源用ＬＥＤチップを封入して、合計で３色の発光を行うことが可能な多色発光ＬＥＤを用いているが、一つのパッケージに３個以上の光源用ＬＥＤチップを封入して、４色以上の色で発光を行うことが可能な多色発光ＬＥＤを用いることも可能である。
【００７１】
本発明は、さらにその他の点においても上記実施形態に限定されるものではなく、発明の範囲内において種々の応用、変形を加えることが可能である。
【符号の説明】
【００７２】
１        筒胴
１ａ      測温用開口
２        熱交換器
３        バーナ
４        止水弁
５        水ガバナ
６        分流弁
７        フレキシブル管
８        出湯具
９        遮断弁
９ａ      コイル
１０      水圧応動弁
１０ａ    連動杆
１１      ガスガバナ
１２      調整弁
１３      出湯操作具
１４      操作マイクロスイッチ
１５      水圧マイクロスイッチ
１６      点火プラグ
１７      第１熱電対（第１温度検出手段）
１８      ガスノズル
１９      ノズル近傍用温度ヒューズ
２０      筒胴用温度ヒューズ
２１      第２熱電対（第２温度検出手段）
２２      異常報知ランプ
Ｂｔ      乾電池（電源）
Ｃ        コントローラ
Ｄ１      緑色で発光するＬＥＤチップ
Ｄ２      赤色で発光するＬＥＤチップ
Ｇ        ガス供給路
Ｒ        燃焼室
Ｗｂ      バイパス路
Ｗｉ      給水路
Ｗｏ      出湯路
【図１】
0006789598.tif 000002
【図２】
0006789598.tif 000003
【図３】
0006789598.tif 000004
【図４】
0006789598.tif 000005
【図５】
0006789598.tif 000006
【図６】
0006789598.tif 000007